(57)【特許請求の範囲】
【請求項１】
釣り用ウキとの自在連結フックとしてスナップサルカンを備え、所定の口径を有する道糸貫通孔がウキ止め糸（Ｂ）の自在通過を許すウキ用ホルダー（Ａ）において、その貫通孔出口（ｒ）底面部（ａ）の開口形状を、出口外部（針先方向）へ向って放射曲線を有するラッパ状の開放形状とし、出口（ｒ）から入口（ｂ）方向への道糸逆行時においては、先細り狭隘構造となることを特徴とするウキ用ホルダー。
【請求項２】
前記ウキ用ホルダー（Ａ）の自在連結フックによる吊り下げ斜向形状において、予め吊り下げ支点を入り口寄りに偏る位置にとり、その自重不均等で生じる貫通孔の斜向線（ｊ）と水平軸（ｈ）とによって構成される針先方向への傾斜が、出口方向に下降する所定の斜度を有し、仕掛けの沈下斜向軌道に添ったことを特徴とする請求項１に記載するウキ用ホルダー。
【発明の詳細な説明】
【技術分野】
【０００１】
ウキ釣り仕掛け部品の形状機能に関する
【背景技術】
【０００２】
磯釣りにおける従来の一般的な釣り仕掛けの多くは、道糸上にタナ位置を決めてウキ止めを結束し、シモリ玉によってウキを固定するタナ固定仕掛けであるのに対し、現在のウキ釣り仕掛けの仕様は、中通しウキや環付きウキホルダーの貫通口径を大きくし、道糸にウキ止め糸を使用せずに通過時の負荷を無くし、道糸が貫通孔を自在通過することで軽い仕掛け自体を自重沈下させ、撒き餌と付け餌とを同調させて魚の警戒心を最小限におさえ、上層から深層までの領域を広範囲に探る全層遊動仕掛けが主流となりつつある。
【０００３】
しかし、磯釣りにおいてはいずれの場合も撒き餌が不可欠であるが、その撒き餌使用によって海面近くの上層域に小魚を集めてしまい、その群れ寄る小魚に付け餌を取られ、食わせ餌さが対象とする中層から底層まで届かないことが多い。
いわゆる、エサ取り対策が釣果を左右するとも言われ、釣り人が苦慮工夫する難解な課題でもあり、釣りの技量を評価される要素のひとつでもある。
その対策として撒き餌の打ち方で小魚を散らす方法もあるが、その成果は小魚（餌さ取り）の種類や海域の諸条件によっては確実とは言いがたく、最悪の場合は釣り場全体をエサ取りに占領される状況を招く恐れもある。
【０００４】
また、竿操作の技術として、餌さ取りを避けて離れた場所に投入した仕掛けを想定するタナ領域まで沈め、そのまま撒き餌ポイントまで引き寄せる方法もあるが、ウキを固定せずに道糸が自在通過する遊動仕掛けでは、道糸の引き寄せと共にタナ近くまで沈下しつつある付け餌を再度引き上げてしまい、撒き餌エリアポイントに近づくにつれて上層に群れる小魚の餌食になってしまうことが多い。
【０００５】
一方、固定ウキ仕掛けであれば少し離れた場所へ投入し、タナ領域をキープしたままで仕掛けの浮き上がりを押えつつ、ウキと共に予定のポイントまでゆっくり引き寄せることも可能だが、タナ固定のため対象領域が限定されることに加え、自然沈下による撒き餌との同調が困難となり、広い範囲を探ることが出来ない等の不具合が生じる。
【発明の開示】
【発明が解決しようとする課題】
【０００６】
尚、ウキ釣りの全層遊動仕掛けにおけるハリス及び道糸のライン沈下方向は、仕掛けの自重と潮流によって斜め下方向への下降傾斜の軌道となり、その自然沈下時にウキに係る道糸の貫通抵抗が少ないことが条件としてあげられ、中通し水平ウキや斜めウキ、及び環付きウキの環やウキ用ホルダーの貫通孔がその条件に添っているといえる、特に環付きウキ用ホルダーにおいては、ウキとの連結部にスナップサルカンを備えることで、釣り場状況に対応する適正ウキの交換が容易なことに加え、仕掛けの沈下方向や道糸の捩じれにも瞬時に反応し、利便性を有する釣り仕掛け部品といえる。 
【０００７】
そこで、撒き餌と共に同調沈下をする軽い全遊動仕掛けを、餌さ取りを避けて離れた処へ投入し、予め設定した任意のタナ上限域まで沈下させた後、そのタナ位置をキープしたまま撒き餌ポイントまで引き戻し、ポイント到着後は手元の道糸を送り出すことで改めて仕掛けを沈下潜行させ、中層から深層域へとタナ全域への探策を可能とすると共に、合わせ及び回収時には所定のストッパー位置までウキホルダーが円滑に移動し、取り込みや巻取り操作を容易にしたウキ用ホルダーを提供する。
【課題を解決するための手段】
【０００８】
請求項１に記載するように、ウキ連結部にスナップサルカンを備えたウキ用ホルダーＡの道糸貫通孔口径を、ウキ止め糸を結束した道糸が抵抗無く自在通過をなす所定の口径（３ミリ〜４ミリ）とし、更に貫通孔底面ａの出口ｒ（針先側）の開口形状を、所定の曲線と開口寸法によって外部に曲線をもって開放するラッパ状の切り込み形状とし、出口ｒより入口ｂ方向への逆行時には先細り狭隘構造の逆ラッパ形状とすることで、仕掛けの沈下に伴う道糸の送り出し時はその出口ｒ方向（針先側）への緩やかな開放構造により、貫通孔の下降傾斜ｊに添って円滑な通過条件が生まれ、一方、道糸を手元へ引き戻して貫通孔の出口（針先側）ｒ方向から入口ｂ方向へと逆行させる条件下では、逆ラッパ形状の先細り狭隘最深部ｔにウキ止め糸Ｂの結束位置がその通過を阻まれ、道糸が固定されることで仕掛けは相当距離を残したままロック状態となる。図１０参照
【０００９】
請求項２に記載するウキ用ホルダーＡの斜向形状とその構造については、浮力支点（スナップサルカンによるウキ連結フック位置）を入り口方向に偏る位置に定め、道糸の入口ｂ方向（手元側）に対し出口ｒ方向（針先側）を長くとることで、その自重不均等によって予め形成されるウキ用ホルダーＡの吊り下げ傾斜を、貫通孔の斜向線ｊと水平線ｈとで成す所定の下降角度を約２５°前後とし、仕掛けの沈下斜向角度に添って貫通孔が出口方向に傾斜した形状とすることで、道糸送り出し時の誘導通過が円滑になされる。図２参照
【００１０】
更に本ホルダーＡの貫通孔における入口（手元側）ｂの開口部形状を、道糸誘導の水平方向に相対する開口部の有効面積をより広くするため、貫通孔の斜向に準じ上部ｅに対し底面ａが奥まった楕円形状とすることで、貫通孔入口ｂにおけるウキ止め糸の誘導通過抵抗が減少され、仕掛けの自然沈下に伴う道糸の誘導とその通過が円滑になされる。図２参照  
【００１１】
本発明のウキ用ホルダーＡ使用の仕掛け概念図として図３に示す通り、道糸とハリス接続位置上部の任意の位置に潮受け兼ストッパーＤを備え、想定される対象タナ領域の上限位置にウキ止め糸Ｂを道糸に結束しロック位置とし、予め道糸に通した本ホルダーＡに環付きウキＥを連結しセットする。
更に、全層沈め釣り仕様の場合は、ウキ止め糸Ｂの上部任意位置の道糸上にハリスウキ止めＣを結束すると共に、貫通孔通過時の抵抗ウキ止めとしてタナ攻略の沈め開始位置を任意設定する。
尚、セット間隔は可動自在で任意ながらも説明用として、針先からの仕掛け間隔寸法を事例表示する。
ハリスを１ヒロ半とした場合、ストッパーＤまでを２ヒロ、ウキ止め糸Ｂまでを３ヒロとし、更にウキ止め糸Ｂとその上部のハリスウキ止めＣの間隔を半ヒロとする。図３参照
よって、この様な場合はストッパーＤ以下（２ヒロ）が投入時のウキ下となる。
【００１２】
図４に示すのは、投入直後に道糸を張って道糸の糸フケをとった後の仕掛け沈下のイメージ図であり、仕掛けが自重沈下と潮流とにより斜め方向Ｌへゆっくりと下降し、それに伴い手元から道糸の送り出し操作が開始される。図４参照
【００１３】
図５に示すのは、仕掛け沈下過程のイメージ図であり、前記同様に潮流と仕掛けの自重沈下によって仕掛けラインが斜め下方向Ｌへ引かれ、更にストッパー兼潮受けＤの働きで道糸の張りが強まり、ウキ止め糸ＢはホルダーＡの貫通孔を難なく通過し、付け餌が想定タナ上限域に達する。図５参照
【００１４】
図６に示すのは、引き戻しによって本ホルダーＡに道糸がロックされ、仕掛けが予め設定したタナ領域Ｇの上限をキープしたまま、ポイントまで横移動するイメージ図であり、仕掛け全体がウキと共に本命撒き餌ポイントまでゆっくり引き戻される。図６参照
【００１５】
仕掛けを引き戻す場合、手元へ引く張力と仕掛け自重に加味された潮流との抵抗によって道糸は緊張し、ホルダーＡの貫通孔底面部を支点とする緊張角を形成し、道糸は貫通孔底面ａに圧接しつつラッパ状切り込み開放部へ誘導され、道糸に結束されたウキ止め糸が開口最深の狭隘部ｔに捕捉されることになる。
尚、その底面出口ｒの逆ラッパ形状の最深部ｔは図１０に示すように、所定の有効寸法によって適正加工がなされている。図１０参照
【００１６】
尚、全層沈め釣りに有用なハリスウキ止めＣ使用の場合の引き戻しタイミングは、糸フケの少ないライン状態において、沈下仕掛けに引かれる道糸上のハリスウキ止めＣがホルダーＡにその通過を阻まれ、ウキの動きに変化が現れてウキ止め糸Ｂの貫通孔通過が確認される。
また、完全遊動仕掛けでハリスウキ止めＣが不要な場合は、仕掛けの自重と潮流条件とによる沈下を道糸の手元送り出しによって、その引き戻しタイミングを計りカウントすることで、ウキ止め糸Ｂの貫通孔通過を予測することができる。
【００１７】
図７に示すのは、ポイント引き戻し後の再沈下のイメージ図であり、貫通孔底面に施された曲線を有するラッパ状からなる外部への開放構造により、手元道糸の送り出しによってロックが解除され、改めて対象タナ領域へと沈下を開始し、仕掛けは全層域にわたって広く探りを入れることになる。図７参照
尚、全層沈め釣りの場合はハリスウキ止めＣがホルダーＡに到達した後、ウキと共に仕掛け全体が斜向しつつゆっくりと沈下潜行を開始する。
【００１８】
図８に示すのは、合わせ時及び取り込み回収時の仕掛けイメージ図であり、この場合は空回収であってもピッシとラインの緊張操作をする事によって、針先に掛かる抵抗と回収張力とによって仕掛け全体のラインが緊張し直線状となるため、ウキ止め糸Ｂは抵抗無く円滑に本ホルダーＡの貫通孔をすり抜ける事になる。
よって、本ホルダーＡに連結されたウキはストッパーＤの位置で停止し、取り込み操作を容易にすることに加え、巻き上げ時に懸念される穂先への損傷も回避される。図８参照
【発明の効果】
【００１９】
上述した基準で道糸１．５号〜４号を使用し、諸条件下で行ったフィルド実証の結果、水平面を基準とする引き戻し時の針先方向への斜向角度が約３０°以上であれば、ほぼ確実にロック機能が働き優れた結果が得られる。
よって、想定される通常の諸条件下であれば機能有効の完全範囲内といえる。
【００２０】
本発明のウキ用ホルダーにおける貫通孔の開口構造と機能は、斜め貫通孔を有する斜めウキへの機能応用が可能であり、ウキを内通する貫通孔の構造を本ホルダーＡ同様の機能とすることによって、本願における環付きウキ用ホルダーＡ同様の優れた効果を発揮する。図９参照
【００２１】
その他、棒ウキや円錐環付きウキの固定ウキ仕掛けの場合であっても、本ウキ用ホルダーＡを使用することによって、任意のタナ上限域をキープしたまま仕掛けの横移動を可能とし、餌の横方向移動により警戒心を与えない誘い効果に加え、ポイント到着後に再び道糸を送って仕掛けを沈下させることで、対象タナ領域が広範囲となる効果が加味される。
よって、本ウキ用ホルダーＡの機能を用いた釣り仕掛けにおいては、餌さ取り（小魚）をかわしつつ撒き餌効率と釣果の両立が実現する。
【発明を実施するための最良の形態】
【００２２】
本ウキ用ホルダーを構成する素材は、樹脂等の耐水耐衝撃性を有する素材が相応であり、その比重は海水比重を僅かに上回り海中にあってはゆっくり自重沈下すつつ、ウキ余浮力への負荷が微小範囲であることが望ましい。
また、試作結果として本ウキ用ホルダーＡ貫通孔の所定全長をその口径の約３倍程度（１０ｍｍ〜１２ｍｍ）とし、ウキ連結（フック）を基点とする左右寸法比による吊り下げ傾斜が、針先方向への降下角度２５°前後とすることが有効斜向形状として求められる。図２参照
【００２３】
また、ウキ止め糸Ｂは細目のしなやかな繊維構造であり、結束切断部両端（残り代は約２ｍｍ）の円滑通過の所定貫通孔内径は３ｍｍ〜４ｍｍを適当域とし、底面ａ出口ｒのラッパ状開口の狭隘部ｔの有効関連各寸法は、図１０に示すように所定の範囲（道糸径＜狭隘部ｔ＜ウキ止め糸結束径）としてその有効実寸法を定め、出口ｒから狭隘最深部ｔまでの所定の有効距離を貫通孔内径に対して長くとり、所定の奥行き形状を有する狭隘機能の効力範囲とする。図１０参照
【００２４】
全層沈め仕掛け仕様時のハリスウキ止めＣについては、使用ウキの完全浮力（余浮力＋実用表示浮力）が大きい場合（３Ｂ程度以上）や潮流が激しい条件下では、ハリス剛性の適合号数と結束方法によってその対応が可能となる。
【図面の簡単な説明】
【００２５】
【図１】ウキ用ホルダー姿図
【図２】構造断面と孔加工イメージ図
【図３】仕掛け概要図
【図４】仕掛け使用図（１）投入
【図５】仕掛け使用図（２）沈下
【図６】仕掛け使用図（３）棚キープ引き戻し
【図７】仕掛け使用図（４）送り出し
【図８】仕掛け使用図（５）アタリ合わせ
【図９】ナナメうき応用機能図
【図１０】ホルダー出口底面ラッパ形状加工寸法詳細図
【符号の説明】
【００２６】
Ａ  ウキ用ホルダー
Ｂ  ウキ止め糸
Ｃ  ハリスウキ止め
Ｄ  ストッパー兼潮受け
Ｅ  環付きウキ
Ｆ  針
Ｇ  タナロック対象域
Ｈ  ウキの動き
Ｋ  仕掛けの横移動
Ｌ  仕掛け沈下方向
ａ  ホルダーＡの底面部
ｂ  貫通孔入口（手元側）
ｒ  貫通孔出口（針方向側）
ｅ  ホルダーＡの上部
ｈ  水平線
ｔ  逆ラッパ状開口の最深狭隘部
ｊ  貫通孔下降斜線      
ｙ  貫通孔内部断面線
ｚ  貫通孔内部断面線
ｘ  垂直軸
【要約】      （修正有）【課題】ウキ使用の磯釣りにおいて、餌さ取りを避けて離れた場所へ投入した仕掛けを、想定するタナ領域の任意位置をキープしたまま、本命ポイントまで引き寄せて再沈下させることを可能としたウキ用ホルダーを提供する。【解決手段】ウキ用ホルダーの道糸貫通孔における底面出口の開口部形状を、内部（入口方向）へ向って逆ラッパ状の先細り狭隘構造とすることで、仕掛けの沈下に伴うライン送り出し時は外部への開放構造となり、ウキ止め糸の送り出し通過を難なく許し、引き戻し逆行時は逆ラッパ状の先細り狭隘部にウキ止め糸の通過を阻まれ、想定するタナ領域の任意上限位置がキープされたまま、仕掛けがウキＨと共に撒き餌ポイントまで引き戻され、ポイント到着後に改めて道糸の送り出しを行うことにより、中層から深層域への本命タナ領域へ向って再び斜向沈下を開始することが可能となる。【選択図】図６【図１】
0004224119.tif 000002
【図２】
0004224119.tif 000003
【図３】
0004224119.tif 000004
【図４】
0004224119.tif 000005
【図５】
0004224119.tif 000006
【図６】
0004224119.tif 000007
【図７】
0004224119.tif 000008
【図８】
0004224119.tif 000009
【図９】
0004224119.tif 000010
【図１０】
0004224119.tif 000011